(57)【要約】  第１及び第２の直管形ＬＥＤランプが接続されるソケットである。第１及び第２の直管形ＬＥＤランプは、第１端及び第２端を有する長尺形状であって発光ダイオードアレイを保持した本体部と、本体部の第１端に設けられて発光ダイオードアレイの両端にそれぞれ電気的に接続された２個の給電端子を有する第１口金と、本体部の第２端に設けられた第２口金とを備える。該ソケットは、第１の直管形ランプの２個の給電端子にそれぞれ接触導通する第１及び第２の給電接触部を有し、第１の直管形ＬＥＤランプの第１口金が着脱自在に装着される第１接続部と、第２の直管形ＬＥＤランプの第２口金が着脱自在に装着される第２接続部と備える。第１接続部に装着された第１の直管形ＬＥＤランプの第１接続部からの突出方向と、第２接続部に装着された第２の直管形ＬＥＤランプの第２接続部からの突出方向とが、互いに平行である。
2013175685.tif 000002
【特許請求の範囲】
【請求項１】
第１及び第２の直管形ＬＥＤランプが接続されるソケットであって、前記第１及び第２の直管形ＬＥＤランプの各々は、第１端及び第２端を有する長尺形状であって発光ダイオードアレイを保持した本体部と、前記本体部の前記第１端に設けられて前記発光ダイオードアレイの両端にそれぞれ電気的に接続された２個の給電端子を有する第１口金と、前記本体部の前記第２端に設けられた第２口金とを備えるものであって、
前記第１の直管形ランプの前記２個の給電端子にそれぞれ接触導通する第１及び第２の給電接触部を有し、前記第１の直管形ＬＥＤランプの前記第１口金が着脱自在に装着される第１接続部と、
前記第２の直管形ＬＥＤランプの前記第２口金が着脱自在に装着される第２接続部と
を備え、
前記第１接続部に装着された第１の直管形ＬＥＤランプの前記第１接続部からの突出方向と、前記第２接続部に装着された第２の直管形ＬＥＤランプの前記第２接続部からの突出方向とが互いに平行である
ことを特徴とするソケット。
【請求項２】
前記第２の直管形ＬＥＤランプの前記第２口金は接地端子を有するものであって、
前記第２接続部は、前記第２の直管形ＬＥＤランプの前記第２口金の前記接地端子に接触導通する接地接触部を有することを特徴とする請求項１記載のソケット。
【請求項３】
前記第１及び第２の給電接触部と前記接地接触部とを収納したハウジングを備え、
前記ハウジングは、前記第１の給電接触部に電気的に接続される給電線を挿入するための第１の給電線挿入口と、前記第２の給電接触部に電気的に接続される給電線を挿入するための第２の給電線挿入口と、前記接地接触部に電気的に接続される接地線を挿入するための接地線挿入口とを備え、
前記第１及び第２の給電線挿入口の個数と、前記接地線挿入口の個数とが、互いに異なることを特徴とする請求項２記載のソケット。
【請求項４】
前記第１及び第２の給電接触部と前記接地接触部とを収納したハウジングを備え、
前記ハウジングは、前記第１の給電接触部に電気的に接続される給電線を挿入するための第１の給電線挿入口と、前記第２の給電接触部に電気的に接続される給電線を挿入するための第２の給電線挿入口と、前記接地接触部に電気的に接続される接地線を挿入するための接地線挿入口とを備え、
前記第１及び第２の給電線挿入口の開口方向と、前記接地線挿入口の開口方向とが、互いに異なることを特徴とする請求項２又は請求項３記載のソケット。
【請求項５】
前記第１及び第２の給電接触部と前記接地接触部とを収納したハウジングと、
前記接地接触部に電気的に接続されて前記ハウジングから突出する外側接触部とを備えることを特徴とする請求項２〜請求項４のいずれか１項に記載のソケット。
【請求項６】
前記ハウジングは、照明器具の器具本体の一部が挿入されるように構成された結合溝を有し、
前記外側接触部は弾性を有し、前記結合溝の内側に突出していて、
前記器具本体の前記一部が前記結合溝に挿入される際に、前記器具本体の前記一部の表面上の塗料を、少なくとも前記結合溝への前記器具本体の前記一部の挿入が完了した状態で前記外側接触部が接触する範囲について除去するための除去部を備えることを特徴とする請求項５記載のソケット。
【請求項７】
請求項１〜請求項６のいずれか１項に記載の複数個のソケットと、前記ソケットが固定された器具本体とを備えることを特徴とする照明器具。
【請求項８】
請求項５に記載のソケットと、器具本体とを備え、
前記ハウジングは、該ソケットの装着方向に延びる結合溝を有し、
前記器具本体は、前記装着方向に延びる接触部を有し、
前記外側接触部は、前記結合溝の内側に突出し、その先端にブレード端子を有することを特徴とする照明器具。
【発明の詳細な説明】
【技術分野】
【０００１】
本発明は、ソケット及び該ソケットを用いた照明器具に関するものである。
【背景技術】
【０００２】
従来から、長尺形状であって光源としての発光ダイオードアレイを保持した本体部と、本体部の両端に設けられた第１口金及び第２口金とを有する直管形ＬＥＤ（発光ダイオード）ランプが提供されている（例えば、日本国特許公開２０１２−９３９２号公報参照）。【０００３】
この直管形ＬＥＤランプでは、本体部は円柱形状の外形とされており、発光ダイオードアレイが実装された基板が、透光性を有する材料からなる円筒形状のカバー内に収納されている。第１口金には、発光ダイオードアレイの両端に電気的に接続された２個の給電端子が設けられている。第２口金には、接地端子が設けられている。【０００４】
上記の直管形ＬＥＤランプが取り付けられる照明器具において、ソケットとしては、給電端子が接続される給電用ソケットと、接地端子が接続される接地用ソケットとが用いられ、これらのソケットは互いに構造が異なる。【０００５】
従来、上記のように互いに構造が異なる第１口金と第２口金とを有する直管形ＬＥＤランプが２個取り付けられる照明器具においては、互いに構造が異なる２種類のソケットが必要となっており、製造コストが高くなっていた。
【発明の開示】
【０００６】
本発明は、上記事由に鑑みて為されたものであり、その目的は、照明器具における製造コストの低減が可能なソケット及び該ソケットを用いた照明器具を提供することにある。
【０００７】
本発明のソケットは、第１及び第２の直管形ＬＥＤランプ（１，１）が接続されるソケット（２）であって、前記第１及び第２の直管形ＬＥＤランプ（１）の各々は、第１端（１０１）及び第２端（１０２）を有する長尺形状であって発光ダイオードアレイを保持した本体部（１０）と、前記本体部（１０）の第１端（１０１）に設けられて前記発光ダイオードアレイの両端にそれぞれ電気的に接続された２個の給電端子（１３，１３）を有する第１口金（１１）と、前記本体部の前記第２端（１０２）に設けられた第２口金（１２）とを備えるものである。該ソケット（２）は、前記第１の直管形ランプ（１）の前記２個の給電端子（１３，１３）にそれぞれ接触導通する第１及び第２の給電接触部（３１Ａ，３１Ｂ）を有し、前記第１の直管形ＬＥＤランプ（１）の前記第１口金（１１）が着脱自在に装着される第１接続部（２１）と、前記第２の直管形ＬＥＤランプ（１）の前記第２口金（１２）が着脱自在に装着される第２接続部（２２）とを備え、前記第１接続部（２１）に装着された第１の直管形ＬＥＤランプ（１）の前記第１接続部（２１）からの突出方向と、前記第２接続部（２２）に装着された第２の直管形ＬＥＤランプ（１）の前記第２接続部（２２）からの突出方向とが互いに平行であることを特徴とする。
【０００８】
上記のソケット（２）において、前記第２の直管形ＬＥＤランプ（１）の前記第２口金（１２）は接地端子（１４）を有するものであって、前記第２接続部（２２）は、前記第２の直管形ＬＥＤランプ（１）の前記第２口金（１２）の前記接地端子（１４）に接触導通する接地接触部（４１）を有することが望ましい。
【０００９】
上記のソケット（２）において、前記第１及び第２の給電接触部（３１Ａ，３１Ｂ）と前記接地接触部（４１）とを収納したハウジング（５）を備え、前記ハウジング（５）は、前記第１の給電接触部（３１Ａ）に電気的に接続される給電線を挿入するための第１の給電線挿入口（５３（５３Ａ））と、前記第２の給電接触部（３１Ｂ）に電気的に接続される給電線を挿入するための第２の給電線挿入口（５３（５３Ｂ））と、前記接地接触部（４１）に電気的に接続される接地線を挿入するための接地線挿入口（５４）とを備え、前記第１及び第２給電線挿入口（５３）の個数と、前記接地線挿入口（５４）の個数とが、互いに異なることが好ましい。
【００１０】
上記のソケット（２）において、前記第１及び第２の給電接触部（３１Ａ，３１Ｂ）と前記接地接触部（４１）とを収納したハウジング（５）を備え、前記ハウジング（５）は、前記第１の給電接触部（３１Ａ）に電気的に接続される給電線を挿入するための第１の給電線挿入口（５３（５３Ａ））と、前記第２の給電接触部（３１Ｂ）に電気的に接続される給電線を挿入するための第２の給電線挿入口（５３（５３Ｂ））と、前記接地接触部（４１）に電気的に接続される接地線を挿入するための接地線挿入口（５４）とを備え、前記第１及び第２給電線挿入口（５３）の開口方向と、前記接地線挿入口（５４）の開口方向とが、互いに異なることが好ましい。
【００１１】
上記のソケット（２）において、前記第１及び第２の給電接触部（３１Ａ，３１Ｂ）と前記接地接触部（４１）とを収納したハウジング（５）と、前記接地接触部（４１）に電気的に接続されて前記ハウジング（５）から突出する外側接触部（４２）とを備えることが好ましい。
【００１２】
上記のソケット（２）において、前記ハウジング（５）は、照明器具の器具本体（９）の一部（９１）が挿入されるように構成された結合溝（５５）を有し、前記外側接触部（４２）は弾性を有し、前記結合溝（５５）の内側に突出していて、該ソケット（２）は、前記器具本体（９）の前記一部（９１）が前記結合溝（５５）に挿入される際に、前記器具本体（９）の前記一部の表面上の塗料を、少なくとも前記結合溝（５５）への前記器具本体（９）の前記一部（９１）の挿入が完了した状態で前記外側接触部（４２）が接触する範囲については除去する除去部を備えることが好ましい。
【００１３】
本発明の照明器具は、上記のいずれかの複数個のソケット（２）と、前記ソケット（２）が固定された器具本体（９）とを備えることを特徴とする。
【００１４】
上記の照明器具は、前記外側接触部（４２）を備えたソケット（２）と、器具本体（９）とを備え、前記ハウジング（５）は、該ソケット（２）の装着方向に延びる結合溝（５５）を有し、前記器具本体（９）は、前記装着方向に延びる接触部（９１）を有し、前記外側接触部（４２）は、前記結合溝（５５）の内側に突出し、その先端にブレード端子を有することが好ましい。
【００１５】
本発明のソケットによれば、互いに同じ構造の２個のソケットで２個の直管形ＬＥＤランプを保持することができるから、本発明のソケットを用いた照明器具においては、第１接続部と第２接続部との一方のみを有するソケットを用いた照明器具に比べ、金型費の削減などにより、照明器具全体としての製造コストの低減が可能である。
【図面の簡単な説明】
【００１６】
【図１】本発明の実施形態のソケットを示す斜視図である。
【図２】本発明の実施形態のソケットを示す分解斜視図である。
【図３】本発明の実施形態のソケットの第１の変更例を示す斜視図である。
【図４】本発明の実施形態のソケットの第２の変更例を示す斜視図である。
【図５】本発明の実施形態のソケットの第３の変更例を示す斜視図である。
【図６】本発明の実施形態のソケットの第４の変更例の要部を示す斜視図である。
【図７】直管形ＬＥＤランプを示す正面図である。
【図８】直管形ＬＥＤランプの要部を示す斜視図である。
【図９】直管形ＬＥＤランプの別の要部を示す斜視図である。
【図１０】本発明の実施形態の照明器具を示す斜視図である。
【発明を実施するための形態】
【００１７】
以下、本発明の実施形態について、図面を参照しながら説明する。
【００１８】
まず、本実施形態のソケット２に接続される直管形ＬＥＤランプ１について、図７〜図９を参照して説明する。
【００１９】
図７に示すように、直管形ＬＥＤランプ１は、長尺形状であって光源としての発光ダイオードアレイ（図示せず）を保持した本体部１０と、本体部１０の両端に設けられた第１口金１１及び第２口金１２とを有する。
【００２０】
すなわち、直管形ＬＥＤランプ１は、第１端１０１及び第２端１０２を有する長尺形状であって発光ダイオードアレイを保持した本体部１０と、本体部１０の第１端１０１に設けられて発光ダイオードアレイの両端にそれぞれ電気的に接続された２個の給電端子（口金ピン）１３，１３を有する第１口金１１と、本体部１０の第２端１０２に設けられた第２口金１２とを備える。
【００２１】
本体部１０は、円柱形状の外形を有する。本体部１０は、例えば、発光ダイオードアレイが実装された基板が、透光性を有する材料からなる円筒形状のカバー内に収納されてなる。発光ダイオードアレイは、直列又は直並列に接続された複数の発光ダイオードを含む。また、発光ダイオードアレイは、複数の発光ダイオードからなる回路の両端に接続された、全波整流回路を含んでもよい。
【００２２】
第１口金１１には、図８に示すように、導電材料からなり本体部１０の発光ダイオードアレイの両端にそれぞれ電気的に接続された２個の給電端子１３，１３が設けられている。詳しく説明すると、第１口金１１は、絶縁材料からなり本体部１０の一端部に被着された有底円筒形状のベース１１０を有する。ベース１１０の外底面には、凸部１１１が径方向の一方向に延びるように突設されている。各給電端子１３は、例えば金属板からなる。給電端子１３，１３は、凸部１１１上において凸部１１１の長手方向に並んで突出する。各給電端子１３は、先端部が外向き（他方の給電端子１３から離れる向き）に曲げられたＬ字形状となっている。
【００２３】
図９に示すように、第２口金１２は接地端子１４を有する。接地端子１４は導電材料からなり、本体部１０の発光ダイオードアレイにおいて接地されるべき部位に電気的に接続されている。また、第２口金１２は、絶縁材料からなり本体部１０と同軸であって本体部１０よりも外径が大きい円柱形状のベース１２０を有する。接地端子１４は、ベース１２０の外底面の中央から軸方向の外向きに突出する円柱形状の軸部１４１と、軸部１４１の先端に連結され軸部１４に対し径方向に突出する鍔部１４２とを有して、全体としてＴ字形状となっている。鍔部１４２は、軸部１４１の軸方向から見た形状が長円形状である。接地端子１４における軸部１４１からの鍔部１４２の突出方向（鍔部１４２の長手方向）は、２個の給電端子１３，１３が並ぶ方向に一致している。
【００２４】
本実施形態のソケット２は、図１０に示すように、上記の直管形ＬＥＤランプ１が２個、長手方向（図７での左右方向）を互いに平行として、長手方向に直交する方向に並べて装着される照明器具に用いられる。すなわち、本実施形態のソケット２は、第１及び第２の直管形ＬＥＤランプ１，１に接続される。
【００２５】
図１に示すように、本実施形態のソケット２は、第１の直管形ＬＥＤランプ１の第１口金１１が着脱自在に装着される第１接続部２１と、第２の直管形ＬＥＤランプ１の第２口金１２が着脱自在に装着される第２接続部２２とを備える。
【００２６】
図２に示すように、第１接続部２１は、第１の直管形ＬＥＤランプ１の２個の給電端子１３，１３にそれぞれ接触導通する２個の給電接触子３，３（第１の給電接触子３Ａ，第２の給電接触子３Ｂ）を有し、第２接続部２２は、接地端子１４に接触導通する２個の接地接触子４，４を有する。第１の給電接触子３Ａは、直管形ＬＥＤランプ１の一方の給電端子１３に接触するよう構成された第１の給電接触部３１Ａを有し、第２の給電接触子３Ｂは、直管形ＬＥＤランプ１の他方の給電端子１３に接触するよう構成された第２の給電接触部３１Ｂを有する。各接地接触子４は、直管形ＬＥＤランプ１の接地端子１４に接触するよう構成された接地接触部４１を有する。各給電接触子３と各接地接触子４とは金属板からなり、自身の弾性力により、各給電接触子３（給電接触部３１）は対応する給電端子１３に弾接し、接地接触子４（接地接触部４１）は接地端子１４に弾接する。
【００２７】
本実施形態のソケット２は、第１方向（幅方向）Ｄ１に所定の幅を有し、幅方向Ｄ１の第１側及び第２側（図１の右側及び左側）に、それぞれ第１接続部２１及び第２接続部２２が設けられている。ソケット２は、幅方向Ｄ１と直交する方向である第２方向（高さ方向）Ｄ２に所定の高さを有し、第１接続部２１及び第２接続部２２の各々は、高さ方向Ｄ２の第１側（図１では上側）に、開口を有している。ソケット２は、幅方向Ｄ１及び高さ方向Ｄ２と直交する方向である第３方向（厚み方向）Ｄ３に所定の厚みを有し、各接続部２１，２２の上記開口は、高さ方向Ｄ２の第１側から厚み方向Ｄ３の第１側（図１では前側）に連通している。
【００２８】
各接続部２１，２２に対して給電端子１３や接地端子１４は、高さ方向Ｄ２の第１側（図１では上方）から導入される。また、装着された直管形ＬＥＤランプ１の本体部１０は、ソケット２の厚み方向Ｄ３の第１側（図１の手前側）に位置し、本体部１０の長手方向（軸方向）がソケット２の厚み方向Ｄ３と平行になる。すなわち、第１接続部２１に装着された第１の直管形ＬＥＤランプ１の第１接続部２１からの突出方向と、第２接続部２２に装着された第２の直管形ＬＥＤランプ１の第２接続部２２からの突出方向とは、互いに平行（互いに共通）となる。
【００２９】
また、本実施形態のソケット２は、絶縁材料からなり給電接触子３，３と接地接触子４，４とを収納したハウジング５を備える。ハウジング５は、カバー５１とボディ５２とからなる。カバー５１は、ハウジング５において厚み方向Ｄ３の第１側（図１の前面側）を構成する。ボディ５２は、図２の後側からカバー５１に結合して、ハウジング５において厚み方向Ｄ３の第２側（図１の後面側）を構成する。カバー５１とボディ５２とはそれぞれ例えば合成樹脂からなる。カバー５１とボディ５２との結合は、例えば嵌合や凹凸係合やねじ止めといった周知の手段により実現することができる。
【００３０】
ハウジング５には、図１における下端部の前面の中央より右側に、給電接触子３（３Ａ），３（３Ｂ）に一対一に電気的に接続される電線（以下、「給電線」と呼ぶ。図示せず）がそれぞれ挿入される２個の給電線挿入口５３（５３Ａ），５３（５３Ｂ）が設けられている。すなわち、ハウジング５は、第１の給電接触部３１Ａに電気的に接続される給電線を挿入するための第１の給電線挿入口５３Ａと、第２の給電接触部３１Ｂに電気的に接続される給電線を挿入するための第２の給電線挿入口５３Ｂとを備える。給電線挿入口５３は、幅方向Ｄ１において、第１接続部２１が設けられたのと同じ側に形成されている。給電線挿入口５３は、高さ方向Ｄ２において、第１接続部２１から離れて形成されている。給電線挿入口５３は、厚み方向Ｄ３の第１側に形成されている。
【００３１】
また、ハウジング５には、図１における下端部の前面の中央より左側に、接地接触子４，４に電気的に接続される電線（以下、「接地線」と呼ぶ。図示せず）がそれぞれ挿入される２個の接地線挿入口５４，５４が設けられている。接地線挿入口５４は、幅方向Ｄ１において、第２接続部２２が設けられたのと同じ側に形成されている。接地線挿入口５４は、高さ方向Ｄ２において、第２接続部２２から離れて形成されている。接地線挿入口５４は、厚み方向Ｄ３の第１側に形成されている。
【００３２】
また図２に示すように、ハウジング５には、４個の電線接続端子７が、第１接続部２１と第２接続部２２とが並ぶ方向（幅方向Ｄ１；図１の左右方向）に並べて収納されている。各給電線挿入口５３と各接地線挿入口５４とに対して、各電線接続端子７が一対一に配置される。各電線接続端子７は、周知の速結端子構造を有し、上記の給電線や接地線は、給電線挿入口５３又は接地線挿入口５４に所定の長さまで挿入されるだけで、電線接続端子７に電気的に接続されるとともに抜け止めされる。上記のような電線接続端子７は、例えば金属板に打ち抜き加工と曲げ加工とを施すことで形成することができる。また、給電線挿入口５３に対応する電線接続端子７１（図２の右側の２個の電線接続端子７）はそれぞれ給電接触子３に電気的に接続され、接地線挿入口５４に対応する電気接続端子７２（図２の左側の２個の電線接続端子７）はそれぞれ接地接触子４に電気的に接続される。
【００３３】
また、ハウジング５において第１接続部２１が設けられる側（図１の右側）には、高さ方向Ｄ２の第１側（図１の上方）に開口して給電端子１３，１３が導入及び導出されるよう構成された端子導入口２１１と、端子導入口２１１に連通して端子導入口２１１から導入された各給電端子１３が導入方向と交差する方向（図１の前後方向）に貫通する端子挿通穴２１２とが形成されている。第１接続部２１において、端子挿通穴２１２は、径が端子導入口２１１の幅（図１の左右方向での寸法）よりも大きい円形状となっている。さらに、ボディ５２には、２個の軸凸部２１３が、厚み方向Ｄ３の第１側へ向けて（図２の前方へ）突設されている。２個の軸凸部２１３は、全体として、端子挿通穴２１２と同軸であって高さ方向Ｄ２の両端部（図１の上下両端部）に切り欠きを有する円筒形状を構成している。軸凸部２１３の突出先端（厚み方向Ｄ３の第１側）には、鍔が径方向の外方へ突出して形成されている。
【００３４】
さらに、ハウジング５において第２接続部２２が設けられる側（図１の左側）には、高さ方向Ｄ２の第１側（第１接続部２１の端子導入口２１１の開口方向と同じ側；図１の上方）に開口して接地端子１４が導入及び導出されるよう構成された端子導入口２２１と、端子導入口２２１に連通して端子導入口２２１から導入された接地端子１４が導入方向と交差する方向（図１の前後方向）に貫通する端子挿通穴２２２とが形成されている。
【００３５】
さらに、第１接続部２１の端子挿通穴２１２には、ハウジング５に対して回転可能な回転子６が嵌め込まれている。回転子６は、図１の上下両側と前方とに開口した一対の導入溝６０，６０を有し第１接続部２１の端子挿通穴２１２に挿入される本体部６１と、本体部６１の図１における前端から左右両側に突設されそれぞれ端子挿通穴２１２の開口の周囲においてハウジング５の図１の前側の面に当接する鍔部６２とを有する。
【００３６】
すなわち、回転子６は、内径及び外径を有する略円筒状の本体部６１と、本体部６１の一方の底面（図１の前側の底面）から径方向の外方へ延設された鍔部６２とを有する。本体部６１の外径は端子挿通穴２１２の径よりも小さく、本体部６１の内径は軸凸部２１３の外径よりも大きい。鍔部６２の外径は端子挿通穴２１２の径よりも大きい。回転子６には、鍔部６２が形成された側の底面（図１の前側の底面）に、本体部６１の中心から径方向に延びる一対の導入溝６０，６０が形成されている。回転子６の中央の穴には軸凸部２１３が挿入され、回転子６が挿入された状態では軸凸部２１３の鍔が上記一方の底面に当接する。これにより回転子６は、端子挿通穴２１２内で、軸凸部２１３の周りに回転自在に保持される。
【００３７】
回転子６は、本体部６１を端子挿通穴２１２の内周面や軸凸部２１３の外周面に摺接させることで、ハウジング５に対して厚み方向Ｄ３（図１の前後方向）に平行な所定の回転軸周りに回転可能となっている。上記の回転軸は、端子挿通穴２１２と軸凸部２１３との中心軸に一致する。
【００３８】
ここで、回転子６の導入溝６０の幅寸法は第１口金１１の凸部１１１の短手方向の寸法よりも僅かに大きくされている。また、第１接続部２１の端子挿通穴２１２の内径は、第１口金１１の外径よりも僅かに大きくされている。
【００３９】
第１接続部２１に第１口金１１を装着するには、まず、図１に示すように、回転子６の一方の導入溝６０の開口を端子導入口２１１へ向ける（導入溝６０の延長方向を図１の上下方向に向ける）。
【００４０】
次に、第１口金１１において給電端子１３，１３が並ぶ方向（すなわち凸部１１１の長手方向）を図１の上下方向（導入溝６０の延長方向と同じ方向）に向け、凸部１１１と給電端子１３，１３とを図１の上方から端子導入口２１１に導入し、凸部１１１の長手方向の一端（下端）を端子挿通穴２１２の内周面に当接させる。この状態では、給電端子１３，１３はそれぞれ導入溝６０，６０内に位置し、各給電端子１３の先端は、本体部６１の外周よりも外側かつ鍔部６２の外周よりも内側に位置する。すなわち、図１における上側の導入溝６０内に位置する給電端子１３の先端は、回転子６の本体部６１の上端よりも上側且つ鍔部６２の上端よりも下側に位置し、図１における下側の導入溝６０内に位置する給電端子１３の先端は、回転子６の本体部６１の下端よりも下側且つ鍔部６２の下端よりも上側に位置する。
【００４１】
この状態から、直管形ＬＥＤランプ１の全体を、軸周りに（ソケット２の厚み方向Ｄ３の軸周りに）約９０°回転させると、凸部１１１に押されることで回転子６が連動して回転し、給電端子１３，１３が回転子６の本体部６１から幅方向Ｄ１の両側（図１の左右）にそれぞれ突出した状態（以下、「接続状態」と呼ぶ）となる。
【００４２】
上述のように、各給電接触子３は、接続状態の給電端子１３，１３に対して（図１の左右方向の外側から）弾接する給電接触部３１，３１を有している。すなわち、上記の接続状態では、各給電端子１３は対応する給電接触子３に接触導通する。また、上記の接続状態では、第１口金１１の位置ずれは、図１の上下方向（給電端子１３，１３の導入方向）については凸部１１１が回転子６に挟まれることで防止され、図１の左右方向（接続状態において給電端子１３，１３が並ぶ方向）については凸部１１１がハウジング５（端子挿通穴２１２の内周面）に挟まれることで防止される。
【００４３】
一方、第２接続部２２に第２口金１２を装着するには、鍔部１４２の長手方向を図１の上下方向（端子挿通穴２２２の延長方向）に向け、接地端子１４を図１の上方から端子導入口２２１に導入し、直管形ＬＥＤランプ１の全体を軸周りに回転させればよい。
【００４４】
上記のように、各接地接触子４は、弾性を有する接地接触部４１を有している。接地接触部４１は、第２接続部２２の端子導入口２２１に図１の上方から導入されて端子挿通穴２２２を貫通した状態とされた接地端子１４に（図１の左右から）弾接するよう構成されている。ここで、端子挿通穴２２２の幅寸法（幅方向Ｄ１の寸法）は、接地端子１４の鍔部１４２の長手方向での寸法（接続が完了した状態における、鍔部１４２の図１の左右方向の寸法）よりも小さくされている。すなわち、接地端子１４の導入時には鍔部１４２の長手方向が端子挿通穴２２２の延長方向（図１での上下方向）に向けられていることで、鍔部１４２は端子挿通穴２２２を通過可能となっている。一方、直管形ＬＥＤランプ１を軸周りに回転させて鍔部１４２の長手方向を端子挿通穴２２２の幅方向（図１での左右方向）に向けた状態では、鍔部１４２の長手方向の長さが端子挿通穴２２２の幅寸法（幅方向Ｄ１の寸法）よりも大きいため、接地端子１４が端子挿通穴２２２から抜けるのが防止される。ここで、鍔部１４２の長手方向は、２個の給電端子１３，１３が並ぶ方向に一致しているので、別のソケット２において第１口金１１が上記の接続状態とされているときには、鍔部１４２の長手方向が端子挿通穴２２２の幅方向（図１の左右方向）を向き、接地端子１４が端子挿通穴２２２から抜け止めされる。
【００４５】
本実施形態のソケット２は、例えば、２個のソケット２，２をカバー５１側を互いに対向させて保持する器具本体９とともに、照明器具を構成する。すなわち、本実施形態の照明器具は、図１０に示すように、複数個（ここでは２個）のソケット２と、ソケット２が固定された器具本体９とを備える。
【００４６】
ここで、図１に示すように、幅方向Ｄ１（図１の左右方向）におけるハウジング５の両面には、それぞれ、厚み方向Ｄ３（図１の前後方向）に延びる結合溝５５が設けられている。各結合溝５５にそれぞれ器具本体９の一部が挿入されることで、ソケット２を器具本体９に装着することができる。すなわち、ハウジング５は、照明器具の器具本体９の一部が挿入されるように構成された結合溝５５（ソケット２の装着方向に延びる結合溝５５）を有する。
【００４７】
上記の照明器具において、ソケット２，２間の距離は、給電端子１３と接地端子１４とを除いた直管形ＬＥＤランプ１の長さ寸法（図７における左右方向での寸法）よりも僅かに大きくされている。
【００４８】
なお、器具本体９の形状は図１０のものには限られない。また、ソケット２の数も２個には限られず、より多くの数のソケット２が設けられていてもよい。また、上記の器具本体９には、給電線挿入口５３に挿入される給電線を介した給電により各直管形ＬＥＤランプ１の発光ダイオードアレイをそれぞれ点灯させる点灯回路（図示せず）が保持されていてもよい。上記の点灯回路は、周知の直流電源回路を用いて実現することができる。
【００４９】
直管形ＬＥＤランプ１が複数個接続される照明器具において、本実施形態のソケット２が用いられた場合には、第１接続部２１と第２接続部２２との一方のみを有する１個用のソケットが用いられる場合に比べ、照明器具全体での部品点数や組立工数が減少するから、製造コストの低減が可能となる。
【００５０】
さらに、本実施形態では、接続された直管形ＬＥＤランプ１の突出方向が第１接続部２１と第２接続部２２とで互いに同じ方向（図１の前方向）となる。言い換えると、第１接続部２１に装着された直管形ＬＥＤランプ１（第１の直管形ＬＥＤランプ１）と、第２接続部２２に装着された直管形ＬＥＤランプ１（第２の直管形ＬＥＤランプ１）とは、本体部１０の長手方向を互いに平行とされ、且つ、ソケット２に対して互いに同じ側（図１の前側）に位置する。これにより、１個のソケット２に接続される２個の口金１１，１２間の距離が、本体部１０の一端側と他端側とで互いに一致するので（つまり、ソケット２に、第１の直管形ＬＥＤランプ１の第１口金１１と第２の直管形ＬＥＤランプ１の第２口金１２とを接続したとき、第１の直管形ＬＥＤランプ１の第２口金１２と第２の直管形ＬＥＤランプ１の第１口金１１との距離は、第１の直管形ＬＥＤランプ１の第１口金１１と第２の直管形ＬＥＤランプ１の第２口金１２との距離と一致するので）、互いに同じ構造のソケット２を２個用いて２個の直管形ＬＥＤランプ１に対応することができる。すなわち、本実施形態のソケット２を２個用いて、２個の直管形ＬＥＤランプ１を同時に接続することができる。
【００５１】
本実施形態の第１，第２の変更例を、図３，図４を参照してそれぞれ説明する。
【００５２】
上記の実施形態では、給電線挿入口５３と接地線挿入口５４とは、開口方向がともに厚み方向Ｄ３の第１側（図１の前方）であって互いに共通であり、且つ、個数もともに２個であって互いに共通である。このため、給電線挿入口５３への接地線の挿入や、接地線挿入口５４への給電線の挿入といった、誤挿入が比較的に発生しやすくなっている。
【００５３】
そこで、図３に示す第１の変更例では、接地線挿入口５４の個数を１個として給電線挿入口５３の個数（２個）と異ならせている。すなわち、第１及び第２の給電線挿入口５３の個数と、接地線挿入口５４の個数とが、互いに異なっている。
【００５４】
また、図４に示す第２の変更例では、接地線挿入口５４の開口方向をハウジング５の側方（図１の左方）として給電線挿入口５３の開口方向（図１では前方）と異ならせている。すなわち、第１及び第２の給電線挿入口５３の開口方向と、接地線挿入口５４の開口方向とが、互いに異なっている。
【００５５】
給電線挿入口５３と接地線挿入口５４とで、上記のように個数と開口方向との少なくとも一方を互いに異ならせれば、図１のように個数と開口方向との両方が共通とされる場合に比べ、上記のような誤挿入が発生しにくくなる。
【００５６】
本実施形態の第３，第４の変更例を、図５，図６を参照してそれぞれ説明する。
【００５７】
器具本体９において結合溝５５に挿入される部位（装着方向に延びる接触部９１；以下、「シャーシ」と呼ぶ。）が金属板からなる場合、いわゆるシャーシアースとして、接地接触子４に器具本体９を電気的に接続する場合がある。このような場合を想定し、図５や図６に示すように、接地接触子４が、ハウジング５から突出する外側接触部４２を備えていてもよい。外側接触部４２は、弾性を有し、ハウジング５において第２接続部２２側（図５の左側）の結合溝５５内に設けられた接触用開口５５０を通じて結合溝５５内に突出して、シャーシに接触導通するよう構成されていることが好ましい。なお、外側接触部４２は、接地接触部４１に対して電気的に接続されていればよいのであって、接地接触子４以外に設けられていてもよく、例えば、接地接触子４に接続された電線接続端子７に外側接触部４２を設けてもよい。
【００５８】
図５に示す本実施形態の第３の変更例での外側接触部４２は、厚み方向Ｄ３（図５での前後方向）での中央部から両端部に向かって結合溝５５内への突出寸法が徐々に小さくなるような台形状となっている。
【００５９】
また、図６に示す本実施形態の第４の変更例での外側接触部４２は帯状であって、先端（破断面）を結合溝５５の底面から離れる向き（図６では左斜め後方）に向けており、従って先端に向かって（ボディ５２側へ向かって）結合溝５５内への突出寸法が徐々に大きくなっている。この例では、外側接触部４２は、先端にブレード状の端子を有している。
【００６０】
ところで、上記のシャーシには、見栄えの改善や防食といった目的で塗装が施されていることが多い。また、上記の塗装によってシャーシの表面上に形成される塗料の層は、一般的には十分な導電性を有さない。従って、外側接触部４２とシャーシとの間の接触抵抗を十分に低くするために、上記のような塗料を除去することが好ましい。結合溝５５に対してシャーシが、ソケット２の厚み方向Ｄ３の第２側（図６の後方）から装着される際、第４の変更例（図６参照）のソケット２は、外側接触部４２の先端がシャーシを引っかくので、第３の変更例（図５参照）のソケット２よりも塗料を除去しやすい。すなわち、第４の変更例のソケット２では、外側接触部４２が塗料を除去する除去部を兼ねており、シャーシにおいて外側接触部４２に接触する部位の塗料を予め除去せずに結合溝５５に導入した場合でも、外側接触部４２に対する接触導通を得ることができる。
【００６１】
さらに、結合溝５５に対してシャーシが後方から導入される際に塗料を除去する除去部を、外側接触部４２とは別に、外側接触部４２の後側（すなわち、取付時におけるシャーシの進行方向の逆方向側）においてハウジング５に設けてもよい。この場合、除去部の幅寸法（図６での上下方向での寸法）を、外側接触部４２が接触する範囲の幅寸法（図６での上下方向での寸法）以上とすることで、外側接触部４２の一部が塗料上に乗り上げて接触導通が得られないといった事態を抑制することができる。なお、除去部は、結合溝５５内に設けられることが好ましい。
【００６２】
なお、接続される直管形ＬＥＤランプ１が接地端子１４を有さない場合や、接地端子１４の接地等を行わない場合には、接地接触子４やこれに対応する電線接続端子７及び接地線挿入口５４は省略可能である。
【図１】
2013175685.tif 000003
【図２】
2013175685.tif 000004
【図３】
2013175685.tif 000005
【図４】
2013175685.tif 000006
【図５】
2013175685.tif 000007
【図６】
2013175685.tif 000008
【図７】
2013175685.tif 000009
【図８】
2013175685.tif 000010
【図９】
2013175685.tif 000011
【図１０】
2013175685.tif 000012
【国際調査報告】
2013175685.tif 000013
2013175685.tif 000014
2013175685.tif 000015
2013175685.tif 000016